(57)【要約】浄水器および純水器の目詰まりを解消し、目詰まりを起す原因のフィルターで処理した微粒子を、逆洗、洗浄をして、フィルターから除去し洗浄して器外へ排出し、フィルターを再生し、逆洗なきが為にフィルターはまだ十分その能力を保持しているにもかかわらず、目詰まり故にフィルター交換を余儀なくされている使用者の不便を解消する、とともに水処理器よりの排水を、現状の流し台の下部排水路管にホースを差し込んで排水している衛生面からの課題と、今後深刻化する淡水不足の面からも、流し台の上から排水吐水して雑用水として使用出来る。
2011142476.tif 000002
【特許請求の範囲】
【請求項１】
水道管に取り付けた分岐栓と水処理器とに接続して、分岐栓より供給される水（以下これを原水と称す）を切り替える弁装置を内蔵した吐水栓であって、原水を取り入れる原水入水口、原水を水処理器へ送水する原水出水口、逆浸透膜処理器（以下これをＲＯ器と称す）より排水する排水を受水する排水入水口、排水を出水する排水出水口、ＲＯ器にて生成した逆浸透膜透過水（以下これをＲＯ水と称す）を受水するＲＯ水入水口、ＲＯ水を出水するＲＯ水出水口を有し且つ、前記各口と連通する位置に、軸線を有する円形筒状の弁室を設けた弁箱と、複数の原水出水孔、複数の原水入水孔を有して両側面を隔壁にて、全周を弁の筒にて独立させた原水流通部、前記原水流通部の前記１隔壁に隣接して、前記弁室底壁を片隔壁とし、ＲＯ水入水孔およびＲＯ水出水孔を有して独立したＲＯ水流通部、同じく前記原水流通部１隔壁に隣接し、弁箱と固着させた弁抜き止め蓋を片隔壁として、複数の排水入水孔および複数の排水出水孔を有して、独立した排水流通部を有した円筒状の弁と、前記弁に連結したハンドルを具備し、前記弁の夫々の孔は、前記ハンドルに回動されて、前記した分岐栓より供給される水を、前記原水入水孔より前記原水流通部へ入水し、前記原水出水孔より浄水器へ出水して、浄水器を経てＲＯ器へ流してＲＯ水を生成出水し、片やＲＯ膜への水圧を高圧化する前記排水入水孔又は前記排水出水孔を細孔として流量制御した濃縮水を排水するＲＯ水生成位置と、前記ＲＯ水生成と同様水経路にて流すも、ＲＯ水入水孔を前記弁箱の筒内壁にて前記弁が閉鎖してＲＯ水吐水を止め、強流でＲＯ膜を洗浄（フラッシング）して排水する洗浄位置と、前記弁箱の前記原水入水口を前記弁により閉鎖して、止水する位置とに夫々配置されている弁装置を内蔵した吐水栓。
【請求項２】
前記請求項１に記載した前記弁の軸芯を前記原水流通部構設部分まで延長し、前記弁中心軸の中に空洞を開けて水流路を設け、前記筒状洞入口を前記１隔壁にて封鎖して排水流通路となし、前記排水流通路の前記弁の原水流通部側と前記弁の排水流通部側に、前記排水流通路と連通する排水枝路を夫々設け且つ、原水流通部隔壁１部の軸芯外壁と外筒内壁との間で、先端に原水出水孔を有した原水流通部の１部突出し部を設けて、原水を１部突出し部先端の前記原水出水孔より、前記弁箱の排水入水口へ出水させ、浄水器および逆浸透膜器を逆流洗浄し、前記弁箱の前記原水出水口にてその逆洗水を前記排水枝路に入水させ、前記排水流通路、次いで排水流通部側の排水枝路より前記弁箱の前記排水出水口にて出水させる逆洗位置を付加した請求項１記載の弁装置を内蔵した吐水栓。
【請求項３】
前記請求項１に記載した前記吐水栓の前記弁箱の前記原水入水口、前記原水出水口、および前記弁の前記原水入水孔、前記原水出水孔、および原水流通部とＲＯ水流通部を区画する隔壁を抹消し、前記弁内の前記原水流通部を構成した前記２個の隔壁を１個とし、前記ＲＯ水流通部と前記排水流通部とに区分ける隔壁のみとし、前記弁の一部に磁石を設置し、前記弁箱の一部にリードスイッチを設置し、前記磁石と感応させて、給水又は停水をする請求項１記載の弁装置を内蔵した吐水栓。
【発明の詳細な説明】
【技術分野】
【０００１】
本発明は、水道管より分岐水栓にて供給される水および水処理器より供給される水の流れを切り替える弁装置を内蔵した吐水栓に関する。
【背景技術】
【０００２】
現在このような切り替え弁装置付吐水栓は市場には見られない。
【発明の開示】
【発明が解決しようとする課題】
【０００３】
逆浸透膜水処理器（以下ＲＯ器と称す）にて、膜透過水（以下ＲＯ水と称す）を生成する時には、一般にＲＯ水１に比して１ないし３の水量を排水する、および膜表面を強流で膜洗浄をして排水する必要が有るが、この排水を、料理台の下部にＲＯ器を収納しているので、料理台の流しの排水管に孔を空けて水管を差し入れて排水している。世界的に問題化している淡水不足は、今後尚に深刻化すると予想されるこの課題上からも排水を流し台の上より吐水させて生活用水に利用できる方が望ましい。
また、ＲＯ膜表面側を急速流で膜を洗浄する必要もあり、この洗浄（以下フラッシングと称す）水も同様に排水管より排水しているが、流しの排水管は不衛生な個所であり、排水水管はＲＯ器と連通しているので、衛生面でも問題がある。
人々が環境や健康等を考慮するにおよんで、清澄で安全な水への要求が高まり、浄水器や逆浸透膜純水器等の需要は高まる一方であるが、片やそれらの器機を購入使用する使用者の不便さも顕示されて来ている。
その最多な問題は器機内のフィルターの目詰まり問題である。目詰によりフィルター交換を余儀なくされるが、そのフィルター交換が大煩瑣である。特に流し台の下部に据置した器具のフィルター交換は、消費者には無理な事で業者に依頼することになる。
流し台の下部に収納する為に、あるいは他所に据置するにしても小型化が要求され、小型化は水処理器機のフィルターの処理水量の少量化を招き、次いで目詰まり比率を高める結果となっているが、小型化は絶対条件であるが故に頻繁な濾材交換は余儀なきものとされている。
ＲＯ膜使用等の純水製造器機は、前処理として、濁物の除去、次いで活性炭等による有機物除去処理した水をＲＯ膜で完全処理しようとする器機であるが、除去とは称しても除去ではなく、汚濁物の止溜であるが故にＲＯ膜前処理的浄水器内は除去物の溜積場となり、多くフィルター前面はそれら溜積物に堵塞されて流量低下を招いているが、これらの処理物および溜積物内で増殖する細菌郡を器機外へ放出し、なお且つＲＯ膜表面の洗浄をすることにある。
【課題を解決するための手段】
【０００４】
前述のＲＯ膜フラッシングおよびＲＯ生成時の排水と逆洗浄水の全てを料理台の上より吐水させ、使用者が雑用水として利用できる吐水栓を提供することである。
【発明の効果】
【０００５】
前処理用に用いられる浄水器の精密ろ過膜および限界ろ過膜などは、逆洗して流量低下なしにまでフィルターの再生は可能であり、逆洗を用いない時と比較して数倍のろ過量能力の維持が可能となり、加えて逆洗することにより、細菌も器外へ放出されるので、細菌によるＲＯ膜阻害度も減少し、ＲＯ膜を逆洗浄することでその処理総量を数倍にまで向上させることが出来且つ、ＲＯ水生成時の排水、ＲＯ膜表面フラッシング排水および逆洗水の排水等を流し台の上より吐水栓を用いて吐水するので、その排水も捨て水とすることなく、雑用水として利用できる。
【図面の簡単な説明】
【０００６】
【図１】ＲＯ水および洗浄水、逆洗水吐水パイプをつけた吐水栓を流し台に取り付けた立方体図。
【図２】図１と同様の吐水栓であるが、吐水パイプを短縮しノズルカバーを除去した立方体図。
【図３】吐水栓の正面図。
【図４】吐水栓の裏面図。
【図５】吐水栓の表面図。
【図６】吐水栓の底面図。
【図７】吐水栓の右側面図。
【図８】吐水栓の左側面図。
【図９】吐水栓の吐水パイプを除去した吐水栓表面図にＡ−Ａ線断面線を示す図。
【図１０】吐水パイプを除去した吐水栓正面図にＢ−Ｂ線、Ｃ−Ｃ線、Ｄ−Ｄ線の断面線を示す図。
【図１１】図９に示すＡ−Ａ線上に沿う断面図。
【図１２】切り替え弁のＲＯ生成時における、図１０のＢ−Ｂ線上断面図を左側、Ｃ−Ｃ線上断面図を中央に、Ｄ−Ｄ線上断面図を右側として上部に置き、下部に分岐水栓、水管、浄水器、逆浸透膜器を描き置いた説明用図。
【図１３】図９に示すＡ−Ａ線上に沿う断面図。
【図１４】弁の停水位置における、図１２同様の、図１０Ｂ−Ｂ、Ｃ−Ｃ、Ｄ−Ｄ線に沿う断面と各種器具を説明用に表わした図。
【図１５】図９に示すＡ−Ａ線上に沿う断面図。
【図１６】弁の洗浄位置における、図１２同様の、図１０Ｂ−Ｂ、Ｃ−Ｃ、Ｄ−Ｄ線に沿う断面と各種器具を説明用に表わした図。
【図１７】図９に示すＡ−Ａ線上に沿う断面図。
【図１８】図１０に示すＢ−Ｂ、Ｃ−Ｃ、Ｄ−Ｄ線に沿う断面と各種器具を説明用に表わした図。
【図１９】図９に示すＡ−Ａ線上に沿う断面図。
【図２０】図１０に示すＢ−Ｂ、Ｃ−Ｃ、Ｄ−Ｄ線上に沿う断面と各種器具を説明用に表わした図。
【図２１】図９に示すＡ−Ａ線上に沿う断面図。
【図２２】図１０に示すＢ−Ｂ、Ｃ−Ｃ、Ｄ−Ｄ線上に沿う断面と各種器具を説明用に表わした図。
【図２３】図９に示すＡ−Ａ線上に沿う断面図。
【図２４】図１０に示すＢ−Ｂ、Ｃ−Ｃ、Ｄ−Ｄ線上に沿う断面と他の各種器具を説明用に表わした図。
【図２５】図３２（吐水栓表面図）に示すＥ−Ｅ線に沿う断面図。
【図２６】切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図２７】図３２に示すＥ−Ｅ線に沿う断面図。
【図２８】切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図２９】図３２（吐水栓表面図）に示すＥ−Ｅ線に沿う断面図。
【図３０】切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図３１】吐水栓の裏面図。
【図３２】吐水栓の表面図。
【図３３】吐水栓の正面図。
【図３４】弁２の立体図。
【図３５】一般ＲＯ器の排水管および排水比および電磁弁および放水を表わした図。
【図３６】一般ＲＯ器とＲＯ器の排水を流しの下水管に差し込んだ図。
【符号の説明】
【０００７】
１  吐水栓弁箱、弁箱と称することもある。
２  弁
３  原水入水口
４  原水出水口
５  浄水器入口
６  浄水器（浄水プロセス）
７  浄水器出口
８  ＲＯ器入口
９  逆浸透膜処理器、ＲＯ器
１０  ＲＯ器のＲＯ水出口
１１  ＲＯ水入水口
１２  ＲＯ水出水口
１３  排水出水口
１４  ハンドル
１５  分岐栓
１６  原水入水孔
１７  原水出水孔
１７Ａ  原水入出水孔
１８  排水入水口
１９  ＲＯ水入水孔
２０  ＲＯ水出水孔
２１  ＲＯ水流通室、ＲＯ水流通部
２２  排水流通室、排水流通部
２３  排水入水孔
２３Ａ  ＲＯ生成位置の排水入水孔
２４  排水出水孔
２４Ａ  ＲＯ生成位置の排水出水孔
２５  弁抜き止め蓋
２６  原水流通室、原水流通部
２７  隔壁部品
２７Ｃ  隔壁
２８  水管
２９  一部突出し部先端孔
３０  排水流通路
３１  排水枝路
３２  ノズル
３３  排水吐水管
３４  ＲＯ水吐水パイプ
３５  ノズルカバー
３６  料理台
３７  ＲＯ器の排水出口
３８  磁石
３９  リードスイッチ（感応スイッチ）
４０  電線
４１  ソケット
４２  ＰＣボード（電脳）箱、変圧器
４３  電磁弁
４４  スイッチ固定板
４５  シール材溝−「みぞ」
４６  排水比（シボリ）
４７  流し台の排水路管
４８  固着部
【発明を実施するための最良の形態】
【０００８】
原水入水口、原水出水口、排水入水口、排水出水口、ＲＯ水入水口、ＲＯ水出水口を有した弁箱の中央に各口と連通する円筒状の弁室を設け、その弁室内に、原水流通部およびその流通部と連通した原水入水孔および原水出水孔、ＲＯ水流通部と連通するＲＯ水入水孔およびＲＯ水出水孔、排水流通部と連通する複数の排水入水孔および複数の排水出水孔、軸芯内洞内を排水連通路とし、その排水連通路と連通した複数の排水枝路を有し、筒状にして中に隔壁を有した弁と、前記弁に連結して弁を回動操作するハンドルを具備し、そのハンドルに回動されて、原水入水口より入水した原水を切り替えて流出し、ＲＯ生成位置では原水を浄水器ＲＯ器ともに順な水流経路をとり、逆洗位置では逆な水流経路をとり、洗浄位置では浄水器ＲＯ器ともに順な水流経路をとり、現在まで料理台の排水管へ水管を差し込んで流していた排水を料理台の上部流し部に吐水して排水も雑用水として利用出来る切り替え弁を内蔵したＲＯ水排水吐水栓を提供することが出来る。
【実施例１】
【０００９】
以下本発明の第一実施例を図１ないし図１６を参照して説明する。なお図上に示した符号は、同一部分には同一符号を付して説明する。尚シール材は説明を省略する。
図１は吐水栓の立方体図、図２は符号３３および３４の吐水パイプを短略し且つ、図１に示す符号３５の筒部分を除去して、符号３２に表わすノズルのみとしてある。符号３６は本吐水栓１を据え備える料理台のステンレスを表わす。
図３は正面図、図４は裏面図、図５は表面図、図６は底面図、図７は右側面図、図８は左側面図、図９は吐水パイプ３３および３４を除去した吐水栓１の表面図であり、図１０は図９と同じくＲＯ水出水パイプ３４と排水パイプ３３を除去した吐水栓１の正面図である。
図１１及至図１６を参照して、吐水栓弁箱１内の弁２の操作による、ＲＯ水生成位置、原水停水位置、洗浄位置における水の経路を説明する。
図１１上の隔壁２７Ｃは弁２の筒内壁と弁軸外壁とを板状で連結して成る弁２と一体の隔壁２７Ｃであり、隔壁部品２７は弁２の筒内に差し込まれて固着部４８は弁軸に固着して、弁２の回動とともに回動する。
ＲＯ水生成吐水および排水吐水をする、ＲＯ水生成位置での水の経路を説明する。
図１１は図９に示すＡ−Ａ線上に沿う断面図であり、図１２は、図１０に示す、Ｂ−Ｂ線上に沿う断面図を左側に置いてＲＯ水水経を矢印にて示し、中央にＣ−Ｃ線上に沿う断面図を置いて原水の水の流れを矢印にて示し、右側にＤ−Ｄ線上に沿う断面図を置いて排水の経路を矢印にて示してあり、下部に浄水器６、逆浸透膜器９、ホース又は水管２８、原水を送給する分岐栓１５を置いている説明を簡単にする為に描いた図であり、ＲＯ水生成位置での水の流れを矢印にて示してあり、分岐栓１５より供給される原水は水管２８を経て弁箱１の原水入水口３、次いで弁２の原水入水孔１６より原水流通部２６に入水して弁２の原水入出水孔１７Ａより弁箱１の原水出水口４より出水し、水管２８を経て浄水器６の入口５より浄水器６を経過して、浄水器出口７より出水し、水管２８を流れてＲＯ器９の入口８よりＲＯ器９に流入し、ＲＯ器９にて生成されたＲＯ水は、ＲＯ器９のＲＯ水出口１０より水管２８を経て弁箱１のＲＯ水入水口１１を通じて、弁２のＲＯ水入水孔１９よりＲＯ水流通部２１より弁２のＲＯ水出水孔２０、次いで弁箱１のＲＯ水出水口１２より出水し、図２に示すＲＯ水吐水パイプ３４より吐水し、ＲＯ器９の排水出口３７より出水する排水は水管２８を流れて弁箱１の排水入水口１８、次いで弁２の排水入水孔２３Ａより排水流通部２２を流れて弁２の排水出水孔２４Ａに次いで弁箱１の排水出水口１３より出水し、図２の吐水パイプ３３より吐水するＲＯ水生成位置での水の経路である。
停水位置での弁２の説明をする。
図１３は停水位置での図９に示すＡ−Ａ線に沿う断面図であり、図１４は停水位置での図１０に示すＢ−Ｂ線上断面図を左側に、中央にＣ−Ｃ線上に沿う断面図、右側はＤ−Ｄ線上に沿う断面図であり、下面は前述したＲＯ水生成位置と同様に多種の器具を描いた説明図である。
原水供給分岐栓１５よりの水は水管２８と連通しており、弁箱１の原水入水口３にも連通しているが、弁箱１の原水入水口３は弁２により閉鎖されているために水の流れは停水している。この時、弁箱１の排水入水口１８と連通する位置と弁２に排水入水孔２３、および弁箱１の排水出水口１３と連通する位置に排水出水孔２４を設ければ、停水直後の浄水器６およびＲＯ器９の残圧抜きをすることも出来る。
図１５および図１６を参照して洗浄位置に回動された弁２を中心に洗浄位置での水の経路を説明する。
図１５は洗浄位置での図９に示すＡ−Ａ線に沿う断面図であり、図１６は洗浄位置での図１０に示すＢ−Ｂ線上の断面図を左側、中央にＣ−Ｃ線上に沿う断面図、右側にＤ−Ｄ線上に沿う断面図、下面に水管２８をはじめ複数の器具を描いて、水の流れを矢印で示して説明する。
分岐栓１５より供給される原水は、水管２８を流れて、弁箱１の原水入水口３に至り、次いで弁２の原水入出水孔１７Ａを経て原水流通部２６へ入水し、弁２の原水出水孔１７より弁箱１の原水出水口４より出水し、水管２８を流れて浄水器入口５より浄水器６に入水し、浄水器出口７より水管２８を流れて連通したＲＯ器入口８よりＲＯ器に流入して、ＲＯ膜表面を洗浄してＲＯ器の排水出口３７より水管２８を経して、弁箱１の排水入水口１８、次いで弁２の排水入水孔２３より排水流通部２２に流入して弁２の排水出水孔２４、次いで弁箱１の排水出水口１３より流出して、図２に示す排水吐水パイプ３３より吐水する。この位置では、弁箱１のＲＯ水入水口１１は弁２によって閉口されておりＲＯ水の出水はない。
このように筒状弁２の筒内壁と、弁２の軸芯外壁を連結して構設した隔壁と、同じく弁２の筒内壁に、弁２の回動と共に回動する隔壁部品２７を固着して、原水入水口３および原水出水口４を、吐水栓弁箱１の中心に成して原水流通部２６を有することを特徴とする切り替え弁装置を内蔵したＲＯ水、洗浄水吐水栓。
【実施例２】
【００１０】
第２実施例を図１７及至図２４を中心にして、第１実施例中の図を参照して説明する。
図１７はＲＯ水生成位置、図１９は停水位置、図２１は洗浄位置、図２３は逆洗位置における図９に示すＡ−Ａ線上に沿う断面図である。
図１８はＲＯ水生成位置、図２０は停水位置、図２２は洗浄位置、図２４は逆洗位置における図１０に示す、Ｂ−Ｂ線上に沿う断面図を左側に置き、Ｃ−Ｃ線上に沿う断面図を中央に置き、Ｄ−Ｄ線上に沿う断面図を右側に置き、下部に分岐水栓１５、水管２８、浄水器６、ＲＯ器９を下部に描き、矢印にて水の経過を表わした説明用図である。
図１７および図１８を参照してＲＯ生成位置での弁２を説明する。
第１実施例の弁２の中央まで弁２の軸芯を延長し、その軸芯内に筒状空洞を設け、前述筒状空洞（以下内筒と称す）の先端と弁２の筒壁とに密着する隔壁部品２７を設けて、ＲＯ水流通部２１と原水流通部２６を夫々独立させている。
ＲＯ水生成位置での水の流れは、分岐栓１５より供給される原水は水管２８を流れて弁箱１の原水入水口３、次いで弁２の原水入水孔１６−原水流通部２６−弁２の原水入出水孔１７Ａ−弁箱１の原水出水口４−水管２８−浄水器６の入口５−浄水器出口７−水管２８−ＲＯ器入口８−ＲＯ器９−ＲＯ水出口１０−水管２８−弁箱１のＲＯ水入水口１１−弁２のＲＯ水入水孔１９−ＲＯ水流通部２１−弁２のＲＯ水出水孔２０−弁箱１のＲＯ水出水口１２と流れ出水し、ＲＯ水生成時での排水はＲＯ器排水出口３７−水管２８−弁箱１の排水入水口１８−弁２の排水入水孔２３Ａ−排水流通部２２−弁２の排水出水孔２４Ａ−弁箱１の排水出水口１３より出水する。
図１９および図２０を参照して弁２の停水位置を説明する。
停水位置での弁２の外筒一部２９により、弁箱１の原水入水口３よりの水を閉鎖している為に水の流れは停水している。
図２１および図２２を参照して、ＲＯ膜強洗浄位置での水の流れを説明する。
分岐栓１５より供給される原水は−水管２８−弁箱１の原水入水口３−弁２の原水入出水孔１７Ａ−原水流通部２６−弁２の原水入出水孔１７Ａ−弁箱１の原水出水口４−水管２８−浄水器入口５−浄水器出口７−水管２８−ＲＯ器入口８−ＲＯ器９−ＲＯ器排水出口３７−弁箱１の排水入水口１８−弁２の排水入水孔２３−排水流通部２２−弁２の排水出水孔２４−弁箱１の排水出水口１３より出水する。
図２３および図２４を参照して、逆洗（逆流洗浄）位置での水の経過を説明する。弁２内筒の排水流通路３０は両端に排水枝路３１を有している。
分岐栓１５より供給された原水は−水管２８−弁箱１の原水入水口３−弁２の原水入出水孔１７Ａより原水流通部２６へ入水し、図２３に示すように排水流通部へ突出された一部の突出し原水流通部２６の一部突出し部先端孔２９より弁箱１の排水入水口１８より出水し−（図２４上部右側図参照）−水管２８−ＲＯ器排水出口３７へ入水し、ＲＯ器９内でＲＯ膜表面を逆流洗浄し、ＲＯ器入口８より出水し−水管２８−浄水器出口７−浄水器６内のろ材を逆流洗浄して浄水器入口５−水管２８−弁箱１の原水出水口４へ入水し、弁２の排水流通路３０の排水枝路３１へ入水し−排水流通路３０より他端の排水枝路３１より弁箱１の排水出水口１３より出水する水の経過をとる。
【実施例３】
【００１１】
第３実施例を図２５及至図３５を参照して説明する。
図２５、図２７、図２９は、図３２の吐水栓の表面図上に示すＥ−Ｅ線上に沿う断面図である。
図２６、図２７、図３０は図３３の弁２及びハンドル１４を有した弁箱１の正面図に示すＦ−Ｆ線上に沿う断面図を左側に、Ｇ−Ｇ線に沿う断面図を中心に置き、右側にＨ−Ｈ線に沿う断面図を並べて示し、下部に当水処理器の水経路を矢印にして示した説明用図である。
当実施例で説明する吐水栓は、前述した第１実施例と同様、図２５、図２６に示すＲＯ水生成位置、図２７、図２８に示す停水位置、図２９、図３０に示す洗浄位置にて用いる効能を有する。しかし、当実施例の停水位置における手段は電磁弁４３で行っている。
実施例１の弁箱１の、原水入水口３および原水出水口４およびそれらのノズル３２を削除し、弁２の原水入水孔１６、原水出水孔１７、原水流通部２６、弁２に固着された隔壁部品２７等を削除して隔壁２７Ｃとして、ＲＯ水流通部２１と排水流通部２２を夫々独立構成し、弁２内に磁石３８を設置し、停水位置にはハンドル１４により回動された弁２内の前述磁石３８に感応するリードスイッチ３９を弁箱１に固着して、磁石３８に感応したリードスイッチ３９は電線４０にて電圧変圧器その他の部品にて構成された電脳板箱４２より、変圧された電力を電線４０にて送り電磁弁４３を閉口させる。
図３１は当吐水栓の底面図であり、ＲＯ水入水口１１と排水入水口１８の間にリードスイッチ３９およびスイッチ固定板４４を示している。
図２６はＲＯ水生成位置を表わし、水の流れを矢印にて、分岐栓１５−電磁弁４３−水管２８−浄水器６−水管２８−ＲＯ器９−ＲＯ水出口１０−弁箱１のＲＯ水入水口１１−弁２のＲＯ水入水孔１９−ＲＯ水流通部２１−ＲＯ水出水孔２０−弁箱１のＲＯ水出水口１２よりＲＯ水を出水し、他方ＲＯ器９の排水出口３７より出水する排水は−水管２８−弁箱１の排水入水口１８−弁２の排水入水孔２３Ａ−排水流通路２２−排水出水孔２４Ａ−弁箱１の排水出水口１３より出水する、ＲＯ水生成位置での水の流れを矢印にて表わした位置の図である。この時リードスイッチ３９は磁石３８の感応を受けず電磁弁４３は開口している。
図２８は前述した停水位置であり、磁石３８の感応によりリードスイッチ３９はＰＣボード箱４２に探知を告げ、電磁弁４３を閉口させている。
図３０は磁石３８とリードスイッチ３９は感応せず、開口した電磁弁４３−浄水器６−水管２８−ＲＯ器９−ＲＯ器の排水出口３７−弁箱１の排水入水口１８−弁２の排水入水孔２３−排水流通路２２−排水出水孔２４−弁箱１の排水出水口１３より排水する洗浄位置での水の流れを矢印にて表わした図である。
図３５は実施例１の弁２の立体図であり、排水出水孔２４Ａおよび２４を表わしている図である。符号４５は実施例中省略したシール材に用いる溝である。符号２１はＲＯ水流通部、符号２７は隔壁部品である。
図３６は一般的家庭用ＲＯ器の排水路に用いる排水量を絞り少量とする器具（排水比と呼ばれる器具）４６と、排水量を多量にしてＲＯ膜表面を洗浄する為の電磁弁４３を示しており、ＲＯ器の排水出口３７より水管２８にて流れる水は、ＲＯ水生成時には電磁弁４３は閉口しており、膜を洗浄する時には電磁弁４３は開口して多量の排水をするが、この排水管２８の先端は放水用に開放されており、図３７に表わす流し台よりの排水路管４７に孔を開けて水管２８を差し込んで放水しているが、前述の当吐水栓は流し台の上より吐水して雑用水として使用の出来る特徴を有している。
【産業上の利用可能性】
【００１２】
逆浸透膜純水器は、前プロセスとしての浄水（浄水プロセス）が如何に清澄な浄水を膜に送水するか、又如何に膜表面を強洗浄するかで大差が出て来る。浄水ろ過をより精密なろ過にすればするほどに、目詰まりをおこし、頻繁にフィルターの交換を余儀なくされている現状の純水器を、長期間フィルター交換なしで純水をより多量に製造出来ることは、消費者にとっても要望されていることを以って想起すれば、この吐水栓の利用可能性は高度であり、且つＲＯ器からの排水を流し台の上より吐水することは、「垂れ流し」と云われている汚名を返上出来、雑用水として利用可能である。
【図１】
2011142476.tif 000003
【図２】
2011142476.tif 000004
【図３】
2011142476.tif 000005
【図４】
2011142476.tif 000006
【図５】
2011142476.tif 000007
【図６】
2011142476.tif 000008
【図７】
2011142476.tif 000009
【図８】
2011142476.tif 000010
【図９】
2011142476.tif 000011
【図１０】
2011142476.tif 000012
【図１１】
2011142476.tif 000013
【図１２】
2011142476.tif 000014
【図１３】
2011142476.tif 000015
【図１４】
2011142476.tif 000016
【図１５】
2011142476.tif 000017
【図１６】
2011142476.tif 000018
【図１７】
2011142476.tif 000019
【図１８】
2011142476.tif 000020
【図１９】
2011142476.tif 000021
【図２０】
2011142476.tif 000022
【図２１】
2011142476.tif 000023
【図２２】
2011142476.tif 000024
【図２３】
2011142476.tif 000025
【図２４】
2011142476.tif 000026
【図２５】
2011142476.tif 000027
【図２６】
2011142476.tif 000028
【図２７】
2011142476.tif 000029
【図２８】
2011142476.tif 000030
【図２９】
2011142476.tif 000031
【図３０】
2011142476.tif 000032
【図３１】
2011142476.tif 000033
【図３２】
2011142476.tif 000034
【図３３】
2011142476.tif 000035
【図３４】
2011142476.tif 000036
【図３５】
2011142476.tif 000037
【図３６】
2011142476.tif 000038
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
水道管に取り付けた分岐栓と水処理器とに接続して、分岐栓より供給される水（以下これを原水と称す）を切り替える弁装置を内蔵した吐水栓であって、原水を取り入れる原水入水口、原水を水処理器へ送水する原水出水口、逆浸透膜処理器（以下これをＲＯ器と称す）より排水する排水を受水する排水入水口、排水を出水する排水出水口、ＲＯ器にて生成した逆浸透膜透過水（以下これをＲＯ水と称す）を受水するＲＯ水入水口、ＲＯ水を出水するＲＯ水出水口を有し且つ、前記各口と連通する位置に、軸線を有する円形筒状の弁室を設けた弁箱と、複数の原水出水孔、複数の原水入水孔を有して両側面を隔壁にて、全周を弁の筒にて独立させた原水流通部、前記原水流通部の前記１隔壁に隣接して、前記弁室底壁を片隔壁とし、ＲＯ水入水孔およびＲＯ水出水孔を有して独立したＲＯ水流通部、同じく前記原水流通部１隔壁に隣接し、弁箱と固着させた弁抜き止め蓋を片隔壁として、複数の排水入水孔および複数の排水出水孔を有して、独立した排水流通部を有した円筒状の弁と、前記弁に連結したハンドルを具備し、前記弁の夫々の孔は、前記ハンドルに回動されて、前記した分岐栓より供給される水を、前記原水入水孔より前記原水流通部へ入水し、前記原水出水孔より浄水器へ出水して、浄水器を経てＲＯ器へ流してＲＯ水を生成出水し、片やＲＯ膜への水圧を高圧化する前記排水入水孔又は前記排水出水孔を細孔として流量制御した濃縮水を排水するＲＯ水生成位置と、前記ＲＯ水生成と同様水経路にて流すも、ＲＯ水入水孔を前記弁箱の筒内壁にて前記弁が閉鎖してＲＯ水吐水を止め、強流でＲＯ膜を洗浄（フラッシング）して排水する洗浄位置と、前記弁箱の前記原水入水口を前記弁により閉鎖して、止水する位置とに夫々配置されている弁装置を内蔵した吐水栓。
【請求項２】
前記請求項１に記載した前記弁の軸芯を前記原水流通部構設部分まで延長し、前記弁中心軸の中に空洞を開けて水流路を設け、前記筒状洞入口を前記１隔壁にて封鎖して排水流通路となし、前記排水流通路の前記弁の原水流通部側と前記弁の排水流通部側に、前記排水流通路と連通する排水枝路を夫々設け且つ、原水流通部隔壁１部の軸芯外壁と外筒内壁との間で、先端に原水出水孔を有した原水流通部の１部突出し部を設けて、原水を１部突出し部先端の前記原水出水孔より、前記弁箱の排水入水口へ出水させ、浄水器および逆浸透膜器を逆流洗浄し、前記弁箱の前記原水出水口にてその逆洗水を前記排水枝路に入水させ、前記排水流通路、次いで排水流通部側の排水枝路より前記弁箱の前記排水出水口にて出水させる逆洗位置を付加した請求項１記載の弁装置を内蔵した吐水栓。
【請求項３】
前記請求項１に記載した前記吐水栓の前記弁箱の前記原水入水口、前記原水出水口、および前記弁の前記原水入水孔、前記原水出水孔、および原水流通部とＲＯ水流通部を区画する隔壁を抹消し、前記弁内の前記原水流通部を構成した前記２個の隔壁を１個とし、前記ＲＯ水流通部と前記排水流通部とに区分ける隔壁のみとし、前記弁の一部に磁石を設置し、前記弁箱の一部にリードスイッチを設置し、前記磁石と感応させて、給水又は停水をする請求項１記載の弁装置を内蔵した吐水栓。
【請求項４】
一般的水栓（蛇口）の先端に弁装置を内蔵して、前記一般的水栓より来る水（以下原水と称す。）を、水管を用いて水処理器と接続し、原水、膜強洗浄（フラッシング）水、ＲＯ生成時のＲＯ水や濃縮排水等の水を、全て流し台の上部より吐水させる吐水栓であって、原水を導入する原水入水口、原水を水処理器へ送水する原水出水口、ＲＯ水を入水するＲＯ水入水口、ＲＯ水を出水するＲＯ水出水口、ＲＯ水生成時の濃縮水排水や膜強洗浄（フラッシング）水を入水する排水入水口、排水及び原水を出水する吐水口を有し、且つ前記各口と連通する位置に、軸線を有する円形洞状の弁室を設けた弁箱と、蛇口のつまみを開口し、前記弁箱の前記原水入水口より原水を取り入れ且つ、水処理器へ送水する原水入出水孔、およびＲＯ水入水孔、ＲＯ水出水孔、原水を吐水する原水吐水孔等を有して前記弁箱の前記弁室に挿入する円筒状弁と、棒状の中心軸棒とを連結して成り、一部前記弁の中心軸棒を貫通して成る、前記弁箱排水入水口より排水を入水して、前記弁箱の吐水口へ送水する吐水連通路、ＲＯ水流通部と原水流通部の水とを区分する隔壁を有し、前記弁中心軸棒に連結したハンドルを具備し、前記弁の複数の孔および一部分前記弁中心軸棒を貫通して成る吐水連通路を有した前記弁は、前記ハンドルに回動されて、前記弁箱原水入水口より導入した原水を前記弁箱原水出水口より水処理器へ送水し、ＲＯ器より出水するＲＯ水を前記弁箱ＲＯ水入水口より受入して、前記弁箱のＲＯ水出水口より出水し、ＲＯ器の濃縮排水を前記弁箱排水入水口より受入して前記弁箱吐水口より吐水するＲＯ水生成位置と、前記弁箱原水入水口より導入した原水を、前記弁箱吐水口より吐水する原水位置と、前記ＲＯ水生成位置と同様の水経路をとり、前記弁箱ＲＯ水入水口と連通する前記弁のＲＯ水入水孔を、前記弁箱弁室壁にて閉孔してＲＯ水出水を閉止し、前記ＲＯ器排水出水口よりの洗浄排水を前記弁箱排水入水口より受入し、前記弁箱吐水口より吐水する膜洗浄位置とに夫々配置されている弁装置を蛇口の先端に内蔵し、蛇口のつまみで閉口して止水する、従来流し台の下へ放水していた濃縮排水やフラッシング洗浄水を流し台へ吐水して、雑用水として利用できる請求項１記載の吐水栓。
【手続補正２】
【補正対象書類名】明細書
【補正対象項目名】０００５
【補正方法】変更
【補正の内容】
【０００５】
下部に分岐水栓、水管、浄水器、逆浸透膜器を描き置いた説明用図。
図２９    図３２（吐水栓表面図）に示すＥ―Ｅ線に沿う断面図。
図３０    切り替え弁のＲＯ生成時における、図３３（吐水栓正面図）のＦ−Ｆ線上に沿う断面図を左側に、Ｇ―Ｇ線に沿う断面図を中央に、Ｈ−Ｈ線に沿う断面図を右側として上部に置き、下部に分岐水栓、水管、浄水器、逆浸透膜器を描き置いた説明用図。
図３１    吐水栓の裏面図。
図３２    吐水栓の表面図。
図３３    吐水栓の正面図。
図３４    弁２の立体図。
図３５    一般ＲＯ器の排水管および排水比および電磁弁および放水を表わした図。
図３６    一般ＲＯ器とＲＯ器の排水を流しの下水管に差し込んだ図。
図３７    蛇口の先端に弁装置を有した吐水栓を流し台に取付けた説明用図。（以後の図面には全て蛇口先端のみが描かれているが、図の説明文は省略して説明する。）
図３８    蛇口の先端に固着する弁装置。（以下コックと称す）の正面図。
図３９    コックの裏面図。
図４０    コックの平面図。
図４１    コックの底面図。
図４２    コックの右側面図。
図４３    コックの左側面図。
図４４    図４０Ｌ−Ｌ線上に示す断面図。
図４５    図４０Ｌ−Ｌ線上に示す断面図。
図４６    左側に図４０Ｉ−Ｉ線上に示す断面、中央に図４０Ｊ−Ｊ線上に示す断面、右側に図４０Ｋ−Ｋ線上に示す断面、下部に浄水器と逆浸透膜器を描いた説明用図。（ＲＯ水生成位置）
図４７    図４４と同様図。（原水吐水位置）
図４８    図４６と同様図。（原水吐水位置）
図４９    図４４と同様図。（膜洗浄位置）
図５０    図４６と同様図。（膜洗浄位置）
図５１    逆洗可能を示した図。
図５２    逆洗可能を示した図。
図５３    コックの外観立体図。
図５４    コックの外観立体図。
図５５    弁箱の弁室を表わす立体図。
図５６    弁の立体図。
図５７    弁の外筒部を削除した説明用立体図。
符号の説明
１  吐水栓弁箱、弁箱と称することもある。
２  弁
３  原水入水口
４  原水出水口
５  浄水器入口
６  浄水器（浄水プロセス）
７  浄水器出口
８  ＲＯ器入口
【手続補正３】
【補正対象書類名】明細書
【補正対象項目名】０００７
【補正方法】変更
【補正の内容】
【０００７】
３０  排水流通路
３１  排水枝路
３２  ノズル
３３  排水吐水管
３４  ＲＯ水吐水パイプ
３５  ノズルカバー
３６  料理台
３７  ＲＯ器の排水出口
３８  磁石
３９  リードスイッチ（感応スイッチ）
４０  電線
４１  ソケット
４２  ＰＣボード（電脳）箱、変圧器
４３  電磁弁
４４  スイッチ固定板
４５  シール材溝−「みぞ」
４６  排水比（シボリ）
４７  流し台の排水路管
４８  固着部
４９  整流部品
５０  蛇口パイプ
５１  蛇口パイプ先端
５２  水道水開閉レバー
５３  弁軸芯
５５  吐水口
５６  吐水連通路管口
５７  吐水連通路先端口
５８  流通孔
５９  排水口
６０  棒状弁中心軸
６２  料理台の流し部
６３  蛇口先端５１との接着部分
６４  弁室壁
６５  弁室底壁
６６  吐水孔
発明を実施するための最良の形態
原水入水口、原水出水口、排水入水口、排水出水口、ＲＯ水入水口、ＲＯ水出水口を有した弁箱の中央に各口と連通する円筒状の弁室を設け、その弁室内に、原水流通部およびその流通部と連通した原水入水孔および原水出水孔、ＲＯ水流通部と連通するＲＯ水入水孔およびＲＯ水出水孔、排水流通部と連通する複数の排水入水孔および
【手続補正４】
【補正対象書類名】明細書
【補正対象項目名】００１４
【補正方法】変更
【補正の内容】
【００１４】
ＲＯ水流通部、符号２７は隔壁部品である。
図３６は一般的家庭用ＲＯ器の排水路に用いる排水量を絞り少量とする器具（排水比と呼ばれる器具）４６と、排水量を多量にしてＲＯ膜表面を洗浄する為の電磁弁４３を示しており、ＲＯ器の排水出口３７より水管２８にて流れる水は、ＲＯ水生成時には電磁弁４３は閉口しており、膜を洗浄する時には電磁弁４３は開口して多量の排水をするが、この排水管２８の先端は放水用に開放されており、図３７に表わす流し台よりの排水路管４７に孔を開けて水管２８を差し込んで放水しているが、前述の当吐水栓は流し台の上より吐水して雑用水として使用の出来る特徴を有している。
実施例４
以下本発明の第４実施例を図３７及至図５７を参照して説明する。同一部分には同一符号を付して説明し、シール材は省略する。尚、水の流経の説明中、横一線の印は水の流れを示し、「次に」の意味である。
図３７は蛇口の先端へ切り替え弁装置（以下コックと称す）を接着した吐水栓の立体図であり、蛇口のつまみ５２で水道水の開閉をし、符号１４コックのレバー（ハンドル）を回動して、ＲＯ水生成位置、原水位置、膜強洗浄位置を定め夫々の水を吐水する吐水栓としたものであり、料理台と前述吐水栓とを立体的に表わした図である。
符号６２は流し部であり、符号４７は下水道へ流下する排水路管、符号２８の濃縮排水や強洗浄水を前述した排水路管４７へ捨て水する為に開けた孔に水管２８を差し込んでいる、従来の捨て水方法のことを表わしている。
図３８はコックの正面図であり、ＲＯ水出水口１２内へＲＯ水吐水パイプ３４を差し入れているが、以下の図では前述吐水パイプ３４を省略し、蛇口の吐水パイプ５０は短略している。図３９はコック裏面図、図４０はコック平面図、図４１は底面図、図４２は右側面図、図４３は左側面図、図４４は図４０に示すＬ−Ｌ線上断面図である。
図４５はハンドル１４をＲＯ水生成位置に回動した時の図４０のＬ−Ｌ線上断面図である。図上の矢印は水の流れを表わす矢印である。
図４６はＲＯ生成位置の図４０Ｉ−Ｉ線上に示す断面を左側に表わし、Ｊ−Ｊ線上に示す断面を中央に表わし、Ｋ−Ｋ線上に示す断面を右側に表わし、下部に浄水器６及び逆浸透膜器９を表わし、符号２８の水管を以って吐水栓に連結している説明用図である。
ＲＯ水生成位置における水の流れは、蛇口の吐水パイプ５０より来た水を弁箱の原水入水口３より弁２の原水入出水孔１７Ａ−弁箱原水出水口４−水管２８−浄水器６−水管２８−ＲＯ器入口８−ＲＯ器９−ＲＯ水出口１０−水管２８−弁箱ＲＯ水入水口１１−弁２ＲＯ水入水孔１９−ＲＯ水流通部２１−ＲＯ水出水孔２０−弁箱１のＲＯ水出水口１２よりＲＯ水吐水パイプ３４を通経してＲＯ水吐水をし、他方のＲＯ器９の濃縮排水をＲＯ器の排水出口３７より出水した排水は−水管２８−前述弁箱１の排水入水口１８−排水吐水連通路５６−弁箱吐水口５５より吐水する、ＲＯ水生成位置での水の経路である。
図４７は原水吐水位置での図４０Ｌ−Ｌ線に示す断面図であり、図４８は原水吐水位置での図４０Ｉ−Ｉ線上断面を左側、Ｊ−Ｊ線上断面を中央、Ｋ−Ｋ線上断面を右側にして上部に表わし、下部に浄水器６及びＲＯ器９を表わした図であり、蛇口パイプ５０よりの原水は弁箱原水入水口３−弁２の原水入出水孔１７Ａ−原水流通部２６−原水出水孔１７−弁箱吐水口５５より吐水する原水位置での水の経路である。弁２の他の孔、弁箱１の他の各口は相互に閉鎖しあっており、水の流れはない。
図４９と図５０を参照してＲＯ膜強洗浄位置での水の経路を説明する。図４９は図４０Ｌ−Ｌ線上に示す断面図であり、図５０の上部に膜洗浄位置での図４０Ｉ−Ｉ線上に示す断面を左側に、中央にＪ−Ｊ線上に示す断面、右側にＫ−Ｋ線上に示す断面を置き、下部に浄水器６及びＲＯ器９を置いて説明する。
水は−原水入水口３−原水入出水孔１７Ａ−原水流通部２６−原水出水孔１７−原水出水口４−水管２８−浄水器６−水管２８−ＲＯ器９の排水出口３７−水管２８−排水入水口１８−弁２の吐水連通路５６−吐水口５５より吐水する。前述位置では弁箱１のＲＯ水入水口１１は原水位置同様に弁２により閉鎖されており、ＲＯ水の出水はない。
図３５、図３６、図３７に示すごとく、ＲＯ水生成時濃縮排水、膜洗浄水（フラッシング水）は、流し台の排水管に孔を開けて水管を差し入れて捨て水しているが、これは衛生面の問題を抱えており、また淡水浪費につながっている。この問題は本発明吐水栓を用いて解決出来る。
請求項４記載の吐水栓の弁箱１は同様であり、弁２に吐水連通路を設ければ逆洗位置での逆洗も可能であることを記しておく。
図５１は逆洗位置での図４０のＬ−Ｌ線に示す断面図であり、弁中心軸棒の中に吐水連通路を設けていることを示しており、図５２の、上面右側の図４０Ｋ−Ｋ線上に示す断面に新設の吐水連通路、中央の図４０Ｊ−Ｊ線上に示す断面にも新設の吐水連通路を増設すれば、水流である矢印が示す如く水を逆流させて逆洗することが可能であることを示した。
図５３はコックの立体図、図５４は裏面側から見たコックの立体図、図５５は弁箱弁室内の弁室壁６４と弁室底壁６５を示し、図５６は弁の立体図、図５７は弁２の外筒部を削除して内部を表わし、吐水連通路５６を示している。
図５１及び図５２ではハンドルの位置を変えれば浄水プロセス５及び９を逆流洗浄することが出来ることを付け加えておいた。
産業上の利用可能性
逆浸透膜純水器は、前プロセスとしての浄水（浄水プロセス）が如何に清澄な浄水を膜に送水するか、又如何に膜表面を強洗浄するかで大差が出て来る。浄水ろ過をより精密なろ過にすればするほどに、目詰まりをおこし、頻繁にフィルターの交換を余儀なくされている現状の純水器を、長期間フィルター交換なしで純水をより多量に製造出来ることは、消費者にとっても要望されていることを以って想起すれば、この吐水栓の利用可能性は高度であり、且つＲＯ器からの排水を流し台の上より吐水することは、「垂れ流し」と云われている汚名を返上出来、雑用水として利用可能である。
【手続補正５】
【補正対象書類名】図面
【補正対象項目名】図３７
【補正方法】変更
【補正の内容】
【図３７】
2011142476.tif 000039
【手続補正６】
【補正対象書類名】図面
【補正対象項目名】図３８
【補正方法】変更
【補正の内容】
【図３８】
2011142476.tif 000040
【手続補正７】
【補正対象書類名】図面
【補正対象項目名】図３９
【補正方法】変更
【補正の内容】
【図３９】
2011142476.tif 000041
【手続補正８】
【補正対象書類名】図面
【補正対象項目名】図４０
【補正方法】変更
【補正の内容】
【図４０】
2011142476.tif 000042
【手続補正９】
【補正対象書類名】図面
【補正対象項目名】図４１
【補正方法】変更
【補正の内容】
【図４１】
2011142476.tif 000043
【手続補正１０】
【補正対象書類名】図面
【補正対象項目名】図４２
【補正方法】変更
【補正の内容】
【図４２】
2011142476.tif 000044
【手続補正１１】
【補正対象書類名】図面
【補正対象項目名】図４３
【補正方法】変更
【補正の内容】
【図４３】
2011142476.tif 000045
【手続補正１２】
【補正対象書類名】図面
【補正対象項目名】図４４
【補正方法】変更
【補正の内容】
【図４４】
2011142476.tif 000046
【手続補正１３】
【補正対象書類名】図面
【補正対象項目名】図４５
【補正方法】変更
【補正の内容】
【図４５】
2011142476.tif 000047
【手続補正１４】
【補正対象書類名】図面
【補正対象項目名】図４６
【補正方法】変更
【補正の内容】
【図４６】
2011142476.tif 000048
【手続補正１５】
【補正対象書類名】図面
【補正対象項目名】図４７
【補正方法】変更
【補正の内容】
【図４７】
2011142476.tif 000049
【手続補正１６】
【補正対象書類名】図面
【補正対象項目名】図４８
【補正方法】変更
【補正の内容】
【図４８】
2011142476.tif 000050
【手続補正１７】
【補正対象書類名】図面
【補正対象項目名】図４９
【補正方法】変更
【補正の内容】
【図４９】
2011142476.tif 000051
【手続補正１８】
【補正対象書類名】図面
【補正対象項目名】図５０
【補正方法】変更
【補正の内容】
【図５０】
2011142476.tif 000052
【手続補正１９】
【補正対象書類名】図面
【補正対象項目名】図５１
【補正方法】変更
【補正の内容】
【図５１】
2011142476.tif 000053
【手続補正２０】
【補正対象書類名】図面
【補正対象項目名】図５２
【補正方法】変更
【補正の内容】
【図５２】
2011142476.tif 000054
【手続補正２１】
【補正対象書類名】図面
【補正対象項目名】図５３
【補正方法】変更
【補正の内容】
【図５３】
2011142476.tif 000055
【手続補正２２】
【補正対象書類名】図面
【補正対象項目名】図５４
【補正方法】変更
【補正の内容】
【図５４】
2011142476.tif 000056
【手続補正２３】
【補正対象書類名】図面
【補正対象項目名】図５５
【補正方法】変更
【補正の内容】
【図５５】
2011142476.tif 000057
【手続補正２４】
【補正対象書類名】図面
【補正対象項目名】図５６
【補正方法】変更
【補正の内容】
【図５６】
2011142476.tif 000058
【手続補正２５】
【補正対象書類名】図面
【補正対象項目名】図５７
【補正方法】変更
【補正の内容】
【図５７】
2011142476.tif 000059
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
水道管に取り付けた分岐栓と水処理器とに接続して、分岐栓より供給される水（以下これを原水と称す）を切り替える弁装置を内蔵した吐水栓であって、原水を取り入れる原水入水口、原水を水処理器へ送水する原水出水口、逆浸透膜処理器（以下これをＲＯ器と称す）より排水する排水を受水する排水入水口、排水を出水する排水出水口、ＲＯ器にて生成した逆浸透膜透過水（以下これをＲＯ水と称す）を受水するＲＯ水入水口、ＲＯ水を出水するＲＯ水出水口を有し且つ、前記各口と連通する位置に、軸線を有する円形筒状の弁室を設けた弁箱と、複数の原水出水孔、複数の原水入水孔を有して両側面を隔壁にて、全周を弁の筒にて独立させた原水流通部、前記原水流通部の前記１隔壁に隣接して、前記弁室底壁を片隔壁とし、ＲＯ水入水孔およびＲＯ水出水孔を有して独立したＲＯ水流通部、同じく前記原水流通部１隔壁に隣接し、弁箱と固着させた弁抜き止め蓋を片隔壁として、複数の排水入水孔および複数の排水出水孔を有して、独立した排水流通部を有した円筒状の弁と、前記弁に連結したハンドルを具備し、前記弁の夫々の孔は、前記ハンドルに回動されて、前記した分岐栓より供給される水を、前記原水入水孔より前記原水流通部へ入水し、前記原水出水孔より浄水器へ出水して、浄水器を経てＲＯ器へ流してＲＯ水を生成出水し、片やＲＯ膜への水圧を高圧化する前記排水入水孔又は前記排水出水孔を細孔として流量制御した濃縮水を排水するＲＯ水生成位置と、前記ＲＯ水生成と同様水経路にて流すも、ＲＯ水入水孔を前記弁箱の筒内壁にて前記弁が閉鎖してＲＯ水吐水を止め、強流でＲＯ膜を洗浄（フラッシング）して排水する洗浄位置と、前記弁箱の前記原水入水口を前記弁により閉鎖して、止水する位置とに夫々配置されている弁装置を内蔵した吐水栓。
【請求項２】
前記請求項１に記載した前記弁の軸芯を前記原水流通部構設部分まで延長し、前記弁中心軸の中に空洞を開けて水流路を設け、前記筒状洞入口を前記１隔壁にて封鎖して排水流通路となし、前記排水流通路の前記弁の原水流通部側と前記弁の排水流通部側に、前記排水流通路と連通する排水枝路を夫々設け且つ、原水流通部隔壁１部の軸芯外壁と外筒内壁との間で、先端に原水出水孔を有した原水流通部の１部突出し部を設けて、原水を１部突出し部先端の前記原水出水孔より、前記弁箱の排水入水口へ出水させ、浄水器および逆浸透膜器を逆流洗浄し、前記弁箱の前記原水出水口にてその逆洗水を前記排水枝路に入水させ、前記排水流通路、次いで排水流通部側の排水枝路より前記弁箱の前記排水出水口にて出水させる逆洗位置を付加した請求項１記載の弁装置を内蔵した吐水栓。
【請求項３】
前記請求項１に記載した前記吐水栓の前記弁箱の前記原水入水口、前記原水出水口、および前記弁の前記原水入水孔、前記原水出水孔、および原水流通部とＲＯ水流通部を区画する隔壁を抹消し、前記弁内の前記原水流通部を構成した前記２個の隔壁を１個とし、前記ＲＯ水流通部と前記排水流通部とに区分ける隔壁のみとし、前記弁の一部に磁石を設置し、前記弁箱の一部にリードスイッチを設置し、前記磁石と感応させて、給水又は停水をする請求項１記載の弁装置を内蔵した吐水栓。
【請求項４】
請求項１および請求項２記載における前記弁箱の原水入水口を、前記弁により閉鎖して止水する位置において、前記弁に入水孔を設け、前記弁箱入水口より原水を入水し、前記弁箱出水口より浄水器へ出水し、排水経路では、前記弁箱の排水入水口よりの排水を、前記弁の排水入水孔を細孔として流量を制御した排水を入水して、前記弁箱排水出水口より排出して、ＲＯ水を生成可能とした弁を用いた請求項１および請求項２記載の弁装置を内蔵した吐水栓。
【請求項５】
請求項３記載の止水位置において、磁石とリードスイッチの感応にて、原水を電磁弁にて停水する機能の磁石とリードスイッチを削除し、排水経路では前記弁箱の排水入水口よりの排水を、前記弁の排水入水孔を細孔として流量を制御した排水を入水して、前記弁箱の排水出水口より排出する弁を用いた請求項３記載の弁装置を内蔵した吐水栓。
【請求項６】
ＲＯ水生成位置の排水経路において、前記弁箱の排水入水口よりの排水を入水する前記弁の２つの孔の内、排水入水孔又は排水出水孔の内どちらか１つを細孔として、流量を制御した弁を用いた請求項１及至請求項５記載の弁装置を内蔵した吐水栓。
【手続補正２】
【補正対象書類名】明細書
【補正対象項目名】全文
【補正方法】変更
【補正の内容】
【発明の詳細な説明】
【技術分野】
【０００１】  本発明は、水道管より分岐水栓にて供給される水および水処理器より供給される水の流れを切り替える弁装置を内蔵した吐水栓に関する。
【背景技術】
【０００２】  現在このような切り替え弁装置付吐水栓は市場には見られない。
【発明の開示】
【発明が解決しようとする課題】
【０００３】  逆浸透膜水処理器（以下ＲＯ器と称す）にて、膜透過水（以下ＲＯ水と称す）を生成する時には、一般にＲＯ水１に比して１ないし３の水量を排水する、および膜表面を強流で膜洗浄をして排水する必要が有るが、この排水を、料理台の下部にＲＯ器を収納しているので、料理台の流しの排水管に孔を空けて水管を差し入れて排水している。世界的に問題化している淡水不足は、今後尚に深刻化すると予想されるこの課題上からも排水を流し台の上より吐水させて生活用水に利用できる方が望ましい。
また、ＲＯ膜表面側を急速流で膜を洗浄する必要もあり、この洗浄（以下フラッシングと称す）水も同様に排水管より排水しているが、流しの排水管は不衛生な個所であり、排水水管はＲＯ器と連通しているので、衛生面でも問題がある。
人々が環境や健康等を考慮するにおよんで、清澄で安全な水への要求が高まり、浄水器や逆浸透膜純水器等の需要は高まる一方であるが、片やそれらの器機を購入使用する使用者の不便さも顕示されて来ている。
その最多な問題は器機内のフィルターの目詰まり問題である。目詰によりフィルター交換を余儀なくされるが、そのフィルター交換が大煩瑣である。特に流し台の下部に据置した器具のフィルター交換は、消費者には無理な事で業者に依頼することになる。
流し台の下部に収納する為に、あるいは他所に据置するにしても小型化が要求され、小型化は水処理器機のフィルターの処理水量の少量化を招き、次いで目詰まり比率を高める結果となっているが、小型化は絶対条件であるが故に頻繁な濾材交換は余儀なきものとされている。
ＲＯ膜使用等の純水製造器機は、前処理として、濁物の除去、次いで活性炭等による有機物除去処理した水をＲＯ膜で完全処理しようとする器機であるが、除去とは称しても除去ではなく、汚濁物の止溜であるが故にＲＯ膜前処理的浄水器内は除去物の溜積場となり、多くフィルター前面はそれら溜積物に堵塞されて流量低下を招いているが、これらの処理物および溜積物内で増殖する細菌郡を器機外へ放出し、なお且つＲＯ膜表面の洗浄をすることにある。
世界的に淡水不足問題が深刻な認識となって来ている。
一家庭で飲用及び料理用水に利用する水は１日２０ｌから３０ｌであるが、その約３倍の６０ｌから９０ｌもの排水を流し台の下部の排水管に放水しており、これは淡水の浪費である。流し台の下である故に使用者にはこれは認識できない。
【課題を解決するための手段】
【０００４】  前述のＲＯ膜フラッシングおよびＲＯ生成時の排水と逆洗浄水の全てを料理台の上又は下より吐水させ、使用者がＲＯ水生成時での排水を流し台の下より排水することなく雑用水として利用できる吐水栓を提供することである。
【発明の効果】
【０００５】  前処理用に用いられる浄水器の精密ろ過膜および限界ろ過膜などは、逆洗して流量低下なしにまでフィルターの再生は可能であり、逆洗を用いない時と比較して数倍のろ過量能力の維持が可能となり、加えて逆洗することにより、細菌も器外へ放出されるので、細菌によるＲＯ膜阻害度も減少し、ＲＯ膜を逆洗浄することでその処理総量を数倍にまで向上させることが出来且つ、ＲＯ水生成時の排水、ＲＯ膜表面フラッシング排水および逆洗水の排水等を流し台の上より吐水栓を用いて吐水するので、その排水も捨て水とすることなく、使用者の眼に入るので何らかの雑用水として利用できる。
【図面の簡単な説明】
【０００６】
【図１】  ＲＯ水および洗浄水、逆洗水吐水パイプをつけた吐水栓を流し台に取り付けた立方体図。
【図２】  図１と同様の吐水栓であるが、吐水パイプを短縮しノズルカバー、ハンドルカバー等を除去した立方体図。
【図３】  吐水栓の正面図。
【図４】  吐水栓の裏面図。
【図５】  吐水栓の表面図。
【図６】  吐水栓の底面図。
【図７】  吐水栓の右側面図。
【図８】  吐水栓の左側面図。
【図９】  吐水栓の吐水パイプを除去した吐水栓表面図にＡ−Ａ線断面線を示す図。
【図１０】  吐水パイプを除去した吐水栓正面図にＢ−Ｂ線、Ｃ−Ｃ線、Ｄ−Ｄ線の断面線を示す図。
【図１１】  図９に示すＡ−Ａ線上に沿う断面図。
【図１２】  切り替え弁のＲＯ生成時における、図１０のＢ−Ｂ線上断面図を左側、Ｃ−Ｃ線上断面図を中央に、Ｄ−Ｄ線上断面図を右側として上部に置き、下部に分岐水栓、水管、浄水器、逆浸透膜器を描き置いた説明用図。
【図１３】  図９に示すＡ−Ａ線上に沿う断面図。
【図１４】  弁の停水位置における、図１２同様の、図１０Ｂ−Ｂ、Ｃ−Ｃ、Ｄ−Ｄ線に沿う断面と各種器具を説明用に表わした図。
【図１５】  図９に示すＡ−Ａ線上に沿う断面図。
【図１６】  弁の洗浄位置における、図１２同様の、図１０Ｂ−Ｂ、Ｃ−Ｃ、Ｄ−Ｄ線に沿う断面と各種器具を説明用に表わした図。
【図１７】  図９に示すＡ−Ａ線上に沿う断面図。
【図１８】  図１０に示すＢ−Ｂ、Ｃ−Ｃ、Ｄ−Ｄ線に沿う断面と各種器具を説明用に表わした図。
【図１９】  図９に示すＡ−Ａ線上に沿う断面図。
【図２０】  図１０に示すＢ−Ｂ、Ｃ−Ｃ、Ｄ−Ｄ線上に沿う断面と各種器具を説明用に表わした図。
【図２１】  図９に示すＡ−Ａ線上に沿う断面図。
【図２２】  図１０に示すＢ−Ｂ、Ｃ−Ｃ、Ｄ−Ｄ線上に沿う断面と各種器具を説明用に表わした図。
【図２３】  図９に示すＡ−Ａ線上に沿う断面図。
【図２４】  図１０に示すＢ−Ｂ、Ｃ−Ｃ、Ｄ−Ｄ線上に沿う断面と他の各種器具を説明用に表わした図。
【図２５】  図３２（吐水栓表面図）に示すＥ−Ｅ線に沿う断面図。
【図２６】  切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図２７】  図３２に示すＥ−Ｅ線に沿う断面図。
【図２８】  切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図２９】  図３２（吐水栓表面図）に示すＥ−Ｅ線に沿う断面図。
【図３０】  切り替え弁のＲＯ生成時における、図３３（吐水栓正面図）のＦ−Ｆ線上に沿う断面図を左側に、Ｇ−Ｇ線に沿う断面図を中央に、Ｈ−Ｈ線に沿う断面図を右側として上部に置き、下部に分岐水栓、水管、浄水器、逆浸透膜器を描き置いた説明用図。
【図３１】  吐水栓の裏面図。
【図３２】  吐水栓の表面図。
【図３３】  吐水栓の正面図。
【図３４】  弁２の立体図。
【図３５】  一般ＲＯ器の排水管および排水比および電磁弁および排水の捨て水を表わした図。
【図３６】  一般ＲＯ器とＲＯ器の排水を流しの下水管に差し込んだ図。
【図３７】  図３２に示すＥ−Ｅ線上に沿う断面図。
【図３８】  弁のＲＯ水出水位置における、図３７のＢ−Ｂ線に沿う断面図を左側に、Ｃ−Ｃ線に沿う断面図を中央に、Ｄ−Ｄ線に沿う断面図を右側として上部に置き、下部には分岐水栓、水管、浄水器、逆浸透膜器およびＲＯ水貯水タンク、高圧スイッチ、電磁弁等を描き置いた説明用図。
【図３９】  図３２に示すＥ−Ｅ線上に沿う断面図。
【図４０】  弁のＲＯ水生成と、タンク貯水位置における図３９のＢ−Ｂ線上に沿う断面図を左側に、Ｃ−Ｃ線上断面図を中央に、Ｄ−Ｄ線上断面図を右側にして上部に置き、下部に分岐水栓、水管、浄水器、逆浸透膜器、ＲＯ水貯水タンク、高圧スイッチ、電磁弁等を描き置いた説明用図。
【図４１】  図３２に示すＥ−Ｅ線に沿う断面図。
【図４２】  弁のＲＯ膜洗浄位置における図４１に示すＢ−Ｂ線に沿う断面図を左側に、Ｃ−Ｃ線に沿う断面図を中央に、Ｄ−Ｄ線に沿う断面図を右側に置き、下部に分岐水栓、水管、浄水器、逆浸透膜器、ＲＯ水貯水タンク、高圧スイッチ、電磁弁等を描き置いた説明用図。
【図４３】  図３２に示すＥ−Ｅ線に沿う断面図。
【図４４】  弁の逆流洗浄位置における図４３に示すＢ−Ｂ線に沿う断面図を左側に、Ｃ−Ｃ線に沿う断面図を中央に、Ｄ−Ｄ線に沿う断面図を右側に置き、下部に分岐水栓、水管、浄水器、逆浸透膜器、ＲＯ水貯水タンク、高圧スイッチ、電磁弁等を描き置いた説明用図。
【図４５】  図３２に示すＥ−Ｅ線に沿う断面図。
【図４６】  ＲＯ水出水及びＲＯ水生成位置での図４５に示すＦ−Ｆ線に沿う断面図を左側に、Ｇ−Ｇ線に沿う断面図を中央に、Ｈ−Ｈ線に沿う断面図を右側に置き、下部に分岐水栓、水管、浄水器、逆浸透膜器、ＲＯ水貯水タンク、高圧スイッチ、電磁弁等を描き置いた説明用図。
【図４７】  図３２に示すＥ−Ｅ線に沿う断面図。
【図４８】  ＲＯ水生成、タンク貯水及びＲＯ水生成位置での図４７に示すＦ−Ｆ線に沿う断面図を左側に、Ｇ−Ｇ線上に沿う断面図を中央に、Ｈ−Ｈ線に沿う断面図を右側に置き、下部に分岐水栓、水管、浄水器、逆浸透膜器、ＲＯ水貯水タンク、高圧スイッチ、電磁弁等を描き置いた説明用図。
【図４９】  図３２に示すＥ−Ｅ線に沿う断面図。
【図５０】  ＲＯ膜強洗浄位置での図４９に示すＦ−Ｆ線上に沿う断面図を左側に、Ｇ−Ｇ線上に沿う断面図を中央に、Ｈ−Ｈ線上に沿う断面図を右側に置き、下部に分岐水栓、水管、浄水器、逆浸透膜器、ＲＯ水貯水タンク、高圧スイッチ、電磁弁等を描き置いた説明用図。
【図５１】  弁箱の弁室を表わした立体図。
【図５２】  弁の外筒を削除して、弁の内筒部を示し、原水流通部の一部突出し部先端孔の位置等を表わす立体図。
【符号の説明】
【０００７】１  吐水栓弁箱、弁箱と称することもある。
２  弁
３  原水入水口
４  原水出水口
５  浄水器入口
６  浄水器（浄水プロセス）水処理器
７  浄水器出口
８  ＲＯ器入口
９  逆浸透膜処理器、ＲＯ器
１０  ＲＯ器のＲＯ水出口（ＯＵＴ）
１１  ＲＯ水入水口
１２  ＲＯ水出水口
１３  排水出水口
１４  ハンドル
１５  分岐栓
１６  原水入水孔
１７  原水出水孔
１７Ａ  原水入出水孔
１８  排水入水口
１９  ＲＯ水入水孔
２０  ＲＯ水出水孔
２１  ＲＯ水流通室、ＲＯ水流通部
２２  排水流通室、排水流通部
２３  排水入水孔
２３Ａ  ＲＯ生成位置の排水入水孔
２４  排水出水孔
２４Ａ  ＲＯ生成位置の排水出水孔
２５  弁抜き止め蓋
２６  原水流通室、原水流通部
２７  隔壁部品
２７Ｃ  隔壁
２８  水管
２８Ａ  水管先端放水先
２９  一部突出し部先端孔
３０  排水流通路
３１  排水枝路
３２  ノズル
３３  排水吐水管
３４  ＲＯ水吐水パイプ
３５  カバー
３６  料理台
３７  ＲＯ器廃棄水出口ＯＵＴ
３８  磁石
３９  リードスイッチ（感応スイッチ）
４０  電線
４１  ソケット
４２  ＰＣボード（電脳）箱、変圧器
４３  電磁弁
４４  スイッチ固定板
４５  シール材溝−「みぞ」
４６  排水比（シボリ）排水量を調整する流量調整装置
４７  流し台の排水路管
４８  固着部
４９  高圧スイッチ
５０  圧力貯水タンク（タンク）
５１  ４ｗａｙ  ｖａｌｖｅ、４面弁
５２  弁室、弁箱弁室
５３  弁軸芯
５４  軸芯外壁
５５  弁の外筒内壁
５７  原水流通路
５８  ＲＯ水流通路
５９  弁室底壁
６０  弁室
６１  弁箱の弁室内壁
６２  逆止弁
６３  弁の外筒外壁
６４  コック（洗浄コック）
６５  弁箱入口
【発明を実施するための最良の形態】
【０００８】  原水入水口、原水出水口、排水入水口、排水出水口、ＲＯ水入水口、ＲＯ水出水口を有した弁箱の中央に各口と連通する円筒状の弁室を設け、その弁室内に、原水流通部およびその流通部と連通した原水入水孔および原水出水孔、ＲＯ水流通部と連通するＲＯ水入水孔およびＲＯ水出水孔、排水流通部と連通する複数の排水入水孔および複数の排水出水孔、軸芯内洞内を排水連通路とし、その排水連通路と連通した複数の排水枝路を有し、筒状にして中に隔壁を有した弁と、前記弁に連結して弁を回動操作するハンドルを具備し、そのハンドルに回動されて、原水入水口より入水した原水を切り替えて流出し、ＲＯ生成位置では原水を浄水器ＲＯ器ともに順な水流経路をとり、逆洗位置では逆な水流経路をとり、洗浄位置では浄水器ＲＯ器ともに順な水流経路をとり、現在まで料理台の排水管へ水管を差し込んで流していた排水を料理台の上部流し部に吐水して排水も雑用水として利用出来る切り替え弁を内蔵したＲＯ水排水吐水栓を提供することが出来る。
【実施例１】
【０００９】  以下本発明の第一実施例を図１ないし図１６を参照して説明する。なお図上に示した符号は、同一部分には同一符号を付して説明する。尚シール材は説明を省略する。
図１は吐水栓の立方体図、図２は符号３３および３４の吐水パイプを短略し且つ、図１に示す符号３５の筒部分を除去して、符号３２に表わすノズルのみとしてある。符号３６は本吐水栓１を据え備える料理台のステンレスを表わす。
図３は正面図、図４は裏面図、図５は表面図、図６は底面図、図７は右側面図、図８は左側面図、図９は吐水パイプ３３および３４を除去した吐水栓１の表面図であり、図１０は図９と同じくＲＯ水出水パイプ３４と排水パイプ３３を除去した吐水栓１の正面図である。【００１０】  図１１及至図１６を参照して、吐水栓弁箱１内の弁２の操作による、ＲＯ水生成位置、原水停水位置、洗浄位置における水の経路を説明する。
図１１上の隔壁２７Ｃは弁２の筒内壁と弁軸外壁とを板状で連結して成る弁２と一体の隔壁２７Ｃであり、隔壁部品２７は弁２の筒内に差し込まれて固着部４８は弁軸に固着して、弁２の回動とともに回動する。【００１１】  ＲＯ水生成吐水および排水吐水をする、ＲＯ水生成位置での水の経路を説明する。
図１１は図９に示すＡ−Ａ線上に沿う断面図であり、図１２は、図１０に示す、Ｂ−Ｂ線上に沿う断面図を左側に置いてＲＯ水水経を矢印にて示し、中央にＣ−Ｃ線上に沿う断面図を置いて原水の水の流れを矢印にて示し、右側にＤ−Ｄ線上に沿う断面図を置いて排水の経路を矢印にて示してあり、下部に浄水器６、逆浸透膜器９、ホース又は水管２８、原水を送給する分岐栓１５を置いている説明を簡単にする為に描いた図であり、ＲＯ水生成位置での水の流れを矢印にて示してあり、分岐栓１５より供給される原水は水管２８を経て弁箱１の原水入水口３、次いで弁２の原水入水孔１６より原水流通部２６に入水して弁２の原水入出水孔１７Ａより弁箱１の原水出水口４より出水し、水管２８を経て浄水器６の入口５より浄水器６を経過して、浄水器出口７より出水し、水管２８を流れてＲＯ器９の入口８よりＲＯ器９に流入し、ＲＯ器９にて生成されたＲＯ水は、ＲＯ器９のＲＯ水出口１０より水管２８を経て弁箱１のＲＯ水入水口１１を通じて、弁２のＲＯ水入水孔１９よりＲＯ水流通部２１より弁２のＲＯ水出水孔２０、次いで弁箱１のＲＯ水出水口１２より出水し、図２に示すＲＯ水吐水パイプ３４より吐水し、ＲＯ器９の排水出口３７より出水する排水は水管２８を流れて弁箱１の排水入水口１８、次いで弁２の排水入水孔２３Ａより排水流通部２２を流れて弁２の排水出水孔２４Ａに次いで弁箱１の排水出水口１３より出水し、図２の吐水パイプ３３より吐水するＲＯ水生成位置での水の経路である。【００１２】  停水位置での弁２の説明をする。
図１３は停水位置での図９に示すＡ−Ａ線に沿う断面図であり、図１４は停水位置での図１０に示すＢ−Ｂ線上断面図を左側に、中央にＣ−Ｃ線上に沿う断面図、右側はＤ−Ｄ線上に沿う断面図であり、下面は前述したＲＯ水生成位置と同様に多種の器具を描いた説明図である。
原水供給分岐栓１５よりの水は水管２８と連通しており、弁箱１の原水入水口３にも連通しているが、弁箱１の原水入水口３は弁２により閉鎖されているために水の流れは停水している。この時、弁箱１の排水入水口１８と連通する位置と弁２に排水入水孔２３、および弁箱１の排水出水口１３と連通する位置に排水出水孔２４を設ければ、停水直後の浄水器６およびＲＯ器９の残圧抜きをすることも出来る。【００１３】  図１５および図１６を参照して洗浄位置に回動された弁２を中心に洗浄位置での水の経路を説明する。
図１５は洗浄位置での図９に示すＡ−Ａ線に沿う断面図であり、図１６は洗浄位置での図１０に示すＢ−Ｂ線上の断面図を左側、中央にＣ−Ｃ線上に沿う断面図、右側にＤ−Ｄ線上に沿う断面図、下面に水管２８をはじめ複数の器具を描いて、水の流れを矢印で示して説明する。
分岐栓１５より供給される原水は、水管２８を流れて、弁箱１の原水入水口３に至り、次いで弁２の原水入出水孔１７Ａを経て原水流通部２６へ入水し、弁２の原水出水孔１７より弁箱１の原水出水口４より出水し、水管２８を流れて浄水器入口５より浄水器６に入水し、浄水器出口７より水管２８を流れて連通したＲＯ器入口８よりＲＯ器に流入して、ＲＯ膜表面を洗浄してＲＯ器の排水出口３７より水管２８を経して、弁箱１の排水入水口１８、次いで弁２の排水入水孔２３より排水流通部２２に流入して弁２の排水出水孔２４、次いで弁箱１の排水出水口１３より流出して、図２に示す排水吐水パイプ３３より吐水する。この位置では、弁箱１のＲＯ水入水口１１は弁２によって閉口されておりＲＯ水の出水はない。
このように筒状弁２の筒内壁と、弁２の軸芯外壁を連結して構設した隔壁と、同じく弁２の筒内壁に、弁２の回動と共に回動する隔壁部品２７を固着して、原水入水口３および原水出水口４を、吐水栓弁箱１の中心に成して原水流通部２６を有することを特徴とする切り替え弁装置を内蔵したＲＯ水、洗浄水吐水栓。
【実施例２】
【００１４】  第２実施例を図１７及至図２４を中心にして、第１実施例中の図を参照して説明する。
図１７はＲＯ水生成位置、図１９は停水位置、図２１は洗浄位置、図２３は逆洗位置における図９に示すＡ−Ａ線上に沿う断面図である。
図１８はＲＯ水生成位置、図２０は停水位置、図２２は洗浄位置、図２４は逆洗位置における図１０に示す、Ｂ−Ｂ線上に沿う断面図を左側に置き、Ｃ−Ｃ線上に沿う断面図を中央に置き、Ｄ−Ｄ線上に沿う断面図を右側に置き、下部に分岐水栓１５、水管２８、浄水器６、ＲＯ器９を下部に描き、矢印にて水の経過を表わした説明用図である。【００１５】  図１７および図１８を参照してＲＯ生成位置での弁２を説明する。
第１実施例の弁２の中央まで弁２の軸芯を延長し、その軸芯内に筒状空洞を設け、前述筒状空洞（以下内筒と称す）の先端と弁２の筒壁とに密着する隔壁部品２７を設けて、ＲＯ水流通部２１と原水流通部２６を夫々独立させている。【００１６】  ＲＯ水生成位置での水の流れは、分岐栓１５より供給される原水は水管２８を流れて弁箱１の原水入水口３、次いで弁２の原水入水孔１６−原水流通部２６−弁２の原水入出水孔１７Ａ−弁箱１の原水出水口４−水管２８−浄水器６の入口５−浄水器出口７−水管２８−ＲＯ器入口８−ＲＯ器９−ＲＯ水出口１０−水管２８−弁箱１のＲＯ水入水口１１−弁２のＲＯ水入水孔１９−ＲＯ水流通部２１−弁２のＲＯ水出水孔２０−弁箱１のＲＯ水出水口１２と流れ出水し、ＲＯ水生成時での排水はＲＯ器排水出口３７−水管２８−弁箱１の排水入水口１８−弁２の排水入水孔２３Ａ−排水流通部２２−弁２の排水出水孔２４Ａ−弁箱１の排水出水口１３より出水する。【００１７】  図１９および図２０を参照して弁２の停水位置を説明する。
停水位置での弁２の外筒により、弁箱１の原水入水口３よりの水を閉鎖している為に水の流れは停水している。【００１８】  図２１および図２２を参照して、ＲＯ膜強洗浄位置での水の流れを説明する。
分岐栓１５より供給される原水は−水管２８−弁箱１の原水入水口３−弁２の原水入出水孔１７Ａ−原水流通部２６−弁２の原水入出水孔１７Ａ−弁箱１の原水出水口４−水管２８−浄水器入口５−浄水器出口７−水管２８−ＲＯ器入口８−ＲＯ器９−ＲＯ器排水出口３７−弁箱１の排水入水口１８−弁２の排水入水孔２３−排水流通部２２−弁２の排水出水孔２４−弁箱１の排水出水口１３より出水する。【００１９】  図２３および図２４を参照して、逆洗（逆流洗浄）位置での水の経過を説明する。弁２内筒の排水流通路３０は両端に排水枝路３１を有している。
分岐栓１５より供給された原水は−水管２８−弁箱１の原水入水口３−弁２の原水入出水孔１７Ａより原水流通部２６へ入水し、図２３に示すように排水流通部へ突出された一部の突出し原水流通部２６の一部突出し部先端孔２９より弁箱１の排水入水口１８より出水し−（図２４上部右側図参照）−水管２８−ＲＯ器排水出口３７へ入水し、ＲＯ器９内でＲＯ膜表面を逆流洗浄し、ＲＯ器入口８より出水し−水管２８−浄水器出口７−浄水器６内のろ材を逆流洗浄して浄水器入口５−水管２８−弁箱１の原水出水口４へ入水し、弁２の排水流通路３０の排水枝路３１へ入水し−排水流通路３０より他端の排水枝路３１より弁箱１の排水出水口１３より出水する水の経過をとる。
【実施例３】
【００２０】  第３実施例を図２５及至図３５を参照して説明する。
図２５、図２７、図２９は、図３２の吐水栓の表面図上に示すＥ−Ｅ線上に沿う断面図である。
図２６、図２７、図３０は図３３の弁２及びハンドル１４を有した弁箱１の正面図に示すＦ−Ｆ線上に沿う断面図を左側に、Ｇ−Ｇ線に沿う断面図を中心に置き、右側にＨ−Ｈ線に沿う断面図を並べて示し、下部に当水処理器の水経路を矢印にして示した説明用図である。
当実施例で説明する吐水栓は、前述した第１実施例と同様、図２５、図２６に示すＲＯ水生成位置、図２７、図２８に示す停水位置、図２９、図３０に示す洗浄位置にて用いる効能を有する。しかし、当実施例の停水位置における手段は電磁弁４３で行っている。【００２１】  実施例１の弁箱１の、原水入水口３および原水出水口４およびそれらのノズル３２を削除し、弁２の原水入水孔１６、原水出水孔１７、原水流通部２６、弁２に固着された隔壁部品２７等を削除して隔壁２７Ｃとして、ＲＯ水流通部２１と排水流通部２２を夫々独立構成し、弁２内に磁石３８を設置し、停水位置にはハンドル１４により回動された弁２内の前述磁石３８に感応するリードスイッチ３９を弁箱１に固着して、磁石３８に感応したリードスイッチ３９は電線４０にて電圧変圧器その他の部品にて構成された電脳板箱４２より、変圧された電力を電線４０にて送り電磁弁４３を閉口させる。【００２２】  図３１は当吐水栓の底面図であり、ＲＯ水入水口１１と排水入水口１８の間にリードスイッチ３９およびスイッチ固定板４４を示している。【００２３】  図２６はＲＯ水生成位置を表わし、水の流れを矢印にて、分岐栓１５−電磁弁４３−水管２８−浄水器６−水管２８−ＲＯ器９−ＲＯ水出口１０−弁箱１のＲＯ水入水口１１−弁２のＲＯ水入水孔１９−ＲＯ水流通部２１−ＲＯ水出水孔２０−弁箱１のＲＯ水出水口１２よりＲＯ水を出水し、他方ＲＯ器９の排水出口３７より出水する排水は−水管２８−弁箱１の排水入水口１８−弁２の排水入水孔２３Ａ−排水流通路２２−排水出水孔２４Ａ−弁箱１の排水出水口１３より出水する、ＲＯ水生成位置での水の流れを矢印にて表わした位置の図である。この時リードスイッチ３９は磁石３８の感応を受けず電磁弁４３は開口している。【００２４】  図２８は前述した停水位置であり、磁石３８の感応によりリードスイッチ３９はＰＣボード箱４２に探知を告げ、電磁弁４３を閉口させている。【００２５】  図３０は磁石３８とリードスイッチ３９は感応せず、開口した電磁弁４３−浄水器６−水管２８−ＲＯ器９−ＲＯ器の排水出口３７−弁箱１の排水入水口１８−弁２の排水入水孔２３−排水流通路２２−排水出水孔２４−弁箱１の排水出水口１３より排水する洗浄位置での水の流れを矢印にて表わした図である。【００２６】  図３５は実施例１の弁２の立体図であり、排水出水孔２４Ａおよび２４を表わしている図である。符号４５は実施例中省略したシール材に用いる溝である。符号２１はＲＯ水流通部、符号２７は隔壁部品である。【００２７】  図３６は一般的家庭用ＲＯ器の排水路に用いる排水量を絞り少量とする器具（排水比と呼ばれる器具）４６と、排水量を多量にしてＲＯ膜表面を洗浄する為の電磁弁４３を示しており、ＲＯ器の排水出口３７より水管２８にて流れる水は、ＲＯ水生成時には電磁弁４３は閉口しており、膜を洗浄する時には電磁弁４３は開口して多量の排水をするが、この排水管２８の先端は放水用に開放されており、図３７に表わす流し台よりの排水路管４７に孔を開けて水管２８を差し込んで放水しているが、前述の当吐水栓は流し台の上より吐水して雑用水として使用の出来る特徴を有している。
【実施例４】
【００２８】  圧力貯水タンク（以下タンクと称す）の貯水圧が増加すると、電磁弁又は４面弁（４ｗａｙ  ｓｈｏｕｄ  ｏｆｆ  ｖａｌｖｅ）等の働きにより、原水の供給元側にて原水供給を停止し、タンク圧力が減少すると再度原水供給を開始するシステムを具備したＲＯ水生成システム機器に使用する吐水栓を用いる実施例４を図３７及至図４４を参照して説明する。
図３７は図９のＡ−Ａ線上の断面図。
図３８は図１０Ｂ−Ｂ線上の断面図を左側に、中央にＣ−Ｃ線上の断面図、右側にＤ−Ｄ線上断面図を置き、下部にＲＯ生成システム機器を置いた説明用図である。
図３７及び図３８は吐水栓のハンドルをＲＯ水出水位置にある時の、タンク内のＲＯ水を出水している図であり、タンク５０の水を吐水栓ＲＯ水出水口１２より出水している水の流れを矢印で示している。
この位置で原水からの水は吐水栓を経て水処理器５に供給しており、ＲＯ器９でＲＯ水を生成し又濃縮水を吐水栓排水口１３より排水している矢印で水の流れを示しているが、これはＲＯ水を出水中にタンク５０の水圧が減少して圧力スイッチ４９が原水供給側の電磁弁４３を開口した場合のことが示されており、この生成も有り得ることを示している。【００２９】  図３９、図４０は第２実施例における図１９および図２０と同様であるが、弁２が弁箱原水入水口３を閉鎖するのではなく弁２は入水孔１６を以って原水を入水して弁箱出水口４より水処理器５へ出水しており、ＲＯ器９の生成するＲＯ水をタンク５０へ貯水している。
弁箱のＲＯ水入水口１１は弁２により閉鎖されておりＲＯ水の出水はなく、弁箱の排水入水口１８よりＲＯ生成時の濃縮水を入水し、弁２内を通水して弁箱の排水出水口１３より出水している、ＲＯ水生成タンク貯水位置である。
このＲＯ水生成タンク貯水位置においてタンク内のＲＯ水が増加し、タンク内水圧が増加した場合には圧力スイッチ４９は切断されてスイッチＯＦＦとなり、電磁弁４３を閉口して原水供給を止めるＲＯ水生成システム機器の機能により止水する。【００３０】  図４１及び図４２は膜洗浄位置であり、吐水栓のＲＯ出水はなく、吐水栓の排水入水口１３よりの膜洗浄水は出水している。【００３１】  図４３及び図４４は逆洗位置での水の流れを矢印で示している。水は弁箱の原水入水口３−弁２の原水流通部２６−流通部一部突出し部先端原水出水孔２９−弁箱排水入水口１８−ＲＯ器排水出口３７−ＲＯ器９にてＲＯ膜表面を逆流洗浄し、水処理器ＯＵＴ７−水処理器６−浄水器５よりー水管２８−弁箱原水出水口４−排水枝路３１−排水流通路３０−排水流通部側の排水枝路３１−弁箱排水出水口１３より逆洗水を出水している。
ＲＯ水出水、ＲＯ水生成タンク貯水、濃縮水排水、膜洗浄水排水を２つのパイプを用いて台所の料理台の上より吐水させることが出来ることを特徴としている弁装置を内蔵した吐水栓を提供する。
【実施例５】
【００３２】  第５実施例を図４５及至図５０を参照して説明する。
図４５、図４７、図４９は図３２の吐水栓の表面図上に示すＥ−Ｅ線上に沿う断面図である。
図４６、図４８、図５０は図３３上に示すＦ−Ｆ線に沿う断面図を左側に、Ｇ−Ｇ線上に沿う断面図を中央に置き、右側にＨ−Ｈ線上に沿う断面図を並べて示し、下部に水処理器の水経路を矢印にして示した説明用図である。【００３３】  図２６は貯水タンク５０の水を出水するハンドルの位置でＲＯ水はタンク５０より吐水栓弁箱のＲＯ水入水口１１へ入水し、弁２のＲＯ水入水孔１９−ＲＯ水流通部２１−弁２のＲＯ水出水孔２０より弁箱１のＲＯ水出水口１２より出水するＲＯ水出水位置である。【００３４】  図４７及び図４８にて、ＲＯ水生成をして貯水タンクへ水を貯水し、貯水タンクのＲＯ水が増加してタンク内圧力が増加した時には圧力スイッチ４９がＯＦＦされ電磁弁４３を閉口して原水の供給を停止する位置の図である。
この位置では弁箱のＲＯ水入水口１１は弁２により閉鎖されておりＲＯ水の出水はない。【００３５】  第３実施例での図２７および図２８には弁２内の磁石と弁箱のリードスイッチが描かれているが、図４７および図４８には磁石、リードスイッチはなく、ＲＯ水生成システム機器内に圧力スイッチ４９が描かれている。
圧力スイッチ４９はスイッチ内の水圧が高まるとＯＦＦとなり、水圧が減少するとＯＮとなる機能を持ったスイッチで、リードスイッチと同様電気をＯＮ、ＯＦＦするが、リードスイッチが磁力の応用でＯＮ、ＯＦＦするのに対して、水圧によってＯＮ、ＯＦＦする。【００３６】  図４９および図５０はＲＯ膜表面を洗浄する位置の水の経路を矢印で示してある。ＲＯ水系の水径は弁箱のＲＯ水入水口１１を弁２が閉鎖してＲＯ水の出水はなく、弁箱の排水入水口１８より弁２の孔と排水流通部を排水は流れて、弁箱の排水出水口１３より膜洗浄水は出水する。
ＲＯ水出水、ＲＯ水生成タンク貯水、濃縮水排水、膜洗浄水排水を２つのパイプを用いて台所の料理台の上より吐水させることが出来ることを特徴としている弁装置を内蔵した吐水栓を提供する。
【実施例６】
【００３７】  図１１、図１７、図２５、図３７、図４５を参照して請求項６の説明をする。
前述の各図は、ＲＯ水生成位置での弁２を示しているが、排水経路において、弁箱１の排水入水口１８より入水する濃縮排水を弁２の排水入水孔２３Ａおよび排水出水孔２４Ａを細孔としてＲＯ器の増圧を高める目的で流量を制御しているが、この流量制御孔は排水入水孔２３Ａのみ細孔とし排水出水孔２４Ａは図１３符号２４の如き普通孔でもＲＯ器の増圧は可能であり、又その逆の排水入水孔２３Ａを普通孔とし、排水出水孔２４Ａのみを細孔としても可能である切替え弁装置を内蔵した吐水栓を提供する。
【産業上の利用可能性】
【００３８】  逆浸透膜純水器は、前プロセスとしての浄水（浄水プロセス）が如何に清澄な浄水を膜に送水するか、又如何に膜表面を強洗浄するかで大差が出て来る。浄水ろ過をより精密なろ過にすればするほどに、目詰まりをおこし、頻繁にフィルターの交換を余儀なくされている現状の純水器を、長期間フィルター交換なしで純水をより多量に製造出来ることは、消費者にとっても要望されていることを以って想起すれば、この吐水栓の利用可能性は高度であり、且つＲＯ器からの排水を流し台の上より吐水することは、現在流し台の下水管に孔を設けて水管の先端を差し込んで捨て水している「垂れ流し」と云われている汚名を返上出来、雑用水として利用可能である。
【手続補正３】
【補正対象書類名】図面
【補正対象項目名】全図
【補正方法】変更
【補正の内容】
【図１】
2011142476.tif 000060
【図２】
2011142476.tif 000061
【図３】
2011142476.tif 000062
【図４】
2011142476.tif 000063
【図５】
2011142476.tif 000064
【図６】
2011142476.tif 000065
【図７】
2011142476.tif 000066
【図８】
2011142476.tif 000067
【図９】
2011142476.tif 000068
【図１０】
2011142476.tif 000069
【図１１】
2011142476.tif 000070
【図１２】
2011142476.tif 000071
【図１３】
2011142476.tif 000072
【図１４】
2011142476.tif 000073
【図１５】
2011142476.tif 000074
【図１６】
2011142476.tif 000075
【図１７】
2011142476.tif 000076
【図１８】
2011142476.tif 000077
【図１９】
2011142476.tif 000078
【図２０】
2011142476.tif 000079
【図２１】
2011142476.tif 000080
【図２２】
2011142476.tif 000081
【図２３】
2011142476.tif 000082
【図２４】
2011142476.tif 000083
【図２５】
2011142476.tif 000084
【図２６】
2011142476.tif 000085
【図２７】
2011142476.tif 000086
【図２８】
2011142476.tif 000087
【図２９】
2011142476.tif 000088
【図３０】
2011142476.tif 000089
【図３１】
2011142476.tif 000090
【図３２】
2011142476.tif 000091
【図３３】
2011142476.tif 000092
【図３４】
2011142476.tif 000093
【図３５】
2011142476.tif 000094
【図３６】
2011142476.tif 000095
【図３７】
2011142476.tif 000096
【図３８】
2011142476.tif 000097
【図３９】
2011142476.tif 000098
【図４０】
2011142476.tif 000099
【図４１】
2011142476.tif 000100
【図４２】
2011142476.tif 000101
【図４３】
2011142476.tif 000102
【図４４】
2011142476.tif 000103
【図４５】
2011142476.tif 000104
【図４６】
2011142476.tif 000105
【図４７】
2011142476.tif 000106
【図４８】
2011142476.tif 000107
【図４９】
2011142476.tif 000108
【図５０】
2011142476.tif 000109
【図５１】
2011142476.tif 000110
【図５２】
2011142476.tif 000111
【国際調査報告】
2011142476.tif 000112
2011142476.tif 000113
2011142476.tif 000114
2011142476.tif 000115